【手続補正書】
【提出日】平成22年11月18日(2010.11.18)
【手続補正１】
【補正対象書類名】特許請求の範囲
【補正対象項目名】全文
【補正方法】変更
【補正の内容】
【特許請求の範囲】
【請求項１】
装身具の一方のバンド部材の端部が摺動可能に挿通される中留本体と、前記一方のバンド部材を前記中留本体の底面側に付勢することによって前記一方のバンド部材を固定するバンド押圧手段とを備えた装身具の中留構造であって、
前記一方のバンド部材を前記中留本体に挿通して摺動させて前記バンド押圧手段を作動させる際に、前記中留本体の底面の突設係合部が前記一方のバンド部材の裏面側に形成された係止用凹部に係合する位置にあるか否かを確認するための窓開口部を前記中留本体の少なくとも一方の側壁に形成したことを特徴とする装身具の中留構造。
【請求項２】
前記窓開口部と前記突設係合部が隣接した位置に配置されていることを特徴とする請求項１に記載の装身具の中留構造。
【請求項３】
前記突設係合部を前記窓開口部のバンド長手方向の幅の中央位置に配置したことを特徴とする請求項１から２のいずれかに記載の装身具の中留構造。
【請求項４】
前記突設係合部を前記窓開口部のバンド長手方向の幅の開口端位置に配置したことを特徴とする請求項１から２のいずれかに記載の装身具の中留構造。
【請求項５】
前記窓開口部にマーキングしたことを特徴とする請求項１から４のいずれかに記載の装身具の中留構造。
【請求項６】
前記中留本体と他方のバンド部材との間に連結され、前記中留本体に対して折り畳み可能な折り畳み部と、前記折り畳み部が前記中留本体に対して折り畳まれた状態で前記折り畳み部と前記中留本体とを着脱自在に係止するロック機構とを備えることを特徴とする請求項１から５のいずれかに記載の装身具の中留構造。
【請求項７】
前記ロック機構が前記折り畳み部に突設されたフック部と、前記中留本体に摺動可能に取り付けられ前記中留本体の外方より押圧可能に配置されるプッシュボタンと、前記プッシュボタンを外方に付勢する弾性手段と、前記プッシュボタンに設けられる係合部と、
前記折り畳み部を前記中留本体に対して折り畳んだ際に、弾性手段に付勢された前記係合部が前記フック部と係合して前記折り畳み部と前記中留本体とを係止する係止手段とを備えることを特徴とする請求項６に記載の装身具の中留構造。
【請求項８】
前記窓開口部が前記プッシュボタンの位置とずれて形成されていることを特徴とする請求項７に記載の装身具の中留構造。
【手続補正２】
【補正対象書類名】明細書
【補正対象項目名】００１０
【補正方法】変更
【補正の内容】
【００１０】
一方、他方のバンド部材１２の端部には、ピン１４で回動可能に連結された外側連結板１６を備えている。この外側連結板１６の他端に、ピン１８で外側連結板１６に対して、回動可能に連結された内側連結板２０を備えている。
【手続補正３】
【補正対象書類名】明細書
【補正対象項目名】００３３
【補正方法】変更
【補正の内容】
【００３３】
本発明は、このような現状を考慮して、中留本体の底面の突設係合部が、一方のバンド部材の裏面側に形成された係止用凹部に係合する係合位置にあるか否かを、装着者が確実かつ容易に確認することができ、これにより、バンド押圧手段を作動させて中留本体に一方のバンド部材を固定する際に、一方のバンド部材の表面が傷ついて美観を損なうことがなく、押圧突起、突設係合部、押さえ板が塑性変形することなく、一方のバンド部材を挟持して中留本体に確実に固定することができ、一方のバンド部材の位置がずれたり、装身具が手首から脱落するおそれがない装身具の中留構造を提供することを目的とする。
【手続補正４】
【補正対象書類名】明細書
【補正対象項目名】００３４
【補正方法】変更
【補正の内容】
【００３４】
本発明は、前述したような従来技術における課題および目的を達成するために発明なされたものであって、本発明の装身具の中留構造は、
装身具の一方のバンド部材の端部が摺動可能に挿通される中留本体と、前記一方のバンド部材を前記中留本体の底面側に付勢することによって前記一方のバンド部材を固定するバンド押圧手段とを備えた装身具の中留構造であって、
前記一方のバンド部材を前記中留本体に挿通して摺動させて前記バンド押圧手段を作動させる際に、前記中留本体の底面の突設係合部が前記一方のバンド部材の裏面側に形成された係止用凹部に係合する位置にあるか否かを確認するための窓開口部を前記中留本体の少なくとも一方の側壁に形成したことを特徴とする。
【手続補正５】
【補正対象書類名】明細書
【補正対象項目名】００３８
【補正方法】変更
【補正の内容】
【００３８】
また、本発明の装身具の中留構造は、前記窓開口部と前記突設係合部が隣接した位置に配置されていることを特徴とする。
このように構成することによって、窓開口部と、前記中留本体の底面の突設係合部が、バンドの幅方向に隣接した位置に配置されているので、窓開口部を介して、中留本体の底面の突設係合部が、一方のバンド部材の裏面側に形成された係止用凹部に係合する係合位置にあるか否かを、装着者が確実かつ容易に確認することができる。
【手続補正６】
【補正対象書類名】明細書
【補正対象項目名】００４０
【補正方法】変更
【補正の内容】
【００４０】
また、本発明の装身具の中留構造は、前記突設係合部を前記窓開口部のバンド長手方向の幅の中央位置に配置したことを特徴とする。
【手続補正７】
【補正対象書類名】明細書
【補正対象項目名】００４２
【補正方法】変更
【補正の内容】
【００４２】
また、本発明の装身具の中留構造は、前記突設係合部を前記窓開口部のバンド長手方向の幅の開口端位置に配置したことを特徴とする。
また、本発明の装身具の中留構造は、前記窓開口部にマーキングしたことを特徴とする。
【手続補正８】
【補正対象書類名】明細書
【補正対象項目名】００６２
【補正方法】変更
【補正の内容】
【００６２】
また、本発明の装身具の中留構造は、
前記中留本体と他方のバンド部材との間に連結され、前記中留本体に対して折り畳み可能な折り畳み部と、前記折り畳み部が前記中留本体に対して折り畳まれた状態で前記折り畳み部と前記中留本体とを着脱自在に係止するロック機構とを備えることを特徴とする。
【手続補正９】
【補正対象書類名】明細書
【補正対象項目名】００６６
【補正方法】変更
【補正の内容】
【００６６】
また、本発明の装身具の中留構造は、
前記ロック機構が前記折り畳み部に突設されたフック部と、前記中留本体に摺動可能に取り付けられ前記中留本体の外方より押圧可能に配置されるプッシュボタンと、前記プッシュボタンを外方に付勢する弾性手段と、前記プッシュボタンに設けられる係合部と、
前記折り畳み部を前記中留本体に対して折り畳んだ際に、弾性手段に付勢された前記係合部が前記フック部と係合して前記折り畳み部と前記中留本体とを係止する係止手段とを備えることを特徴とする。
【手続補正１０】
【補正対象書類名】明細書
【補正対象項目名】００６８
【補正方法】変更
【補正の内容】
【００６８】
また、本発明の装身具の中留構造は、前記窓開口部が前記プッシュボタンの位置とずれて形成されていることを特徴とする。
このように構成することによって、窓開口部が、中留本体の側壁のバンドの長手方向に、プッシュボタンの位置とはずれて形成されているので、プッシュボタンが邪魔にならず、バンド押圧手段を作動させる際に、中留本体の底面の突設係合部が、一方のバンド部材の裏面側に形成された係止用凹部に係合する係合位置にあるか否かを、装着者が確実かつ容易に確認することができる。
【手続補正１１】
【補正対象書類名】明細書
【補正対象項目名】００９３
【補正方法】変更
【補正の内容】
【００９３】
この場合、閉じた位置にある係止枠５８は、摺動枠２８の上部の一部と、２つの対向する側壁３２の一部を覆っているが、窓開口部７４は、係止枠５８に覆われずに露出する位置に配置されている。
【手続補正１２】
【補正対象書類名】明細書
【補正対象項目名】０１３２
【補正方法】変更
【補正の内容】
【０１３２】
このフック部８０は、その先端部分が拡径した拡径部８０ａと、基端側が拡径したテーパー面８０ｂとを備えている。
また、図１６、図１７に示したように、中留本体２４の摺動枠２８の一対の側壁３２にはそれぞれ、プッシュボタン装着開口部８２が形成されており、このプッシュボタン装着開口部８２に、プッシュボタン８４のボタン部８６が、プッシュボタン装着開口部８２より外方に突出するように嵌着され、これにより、中留本体２４の摺動枠２８の外方より、プッシュボタン８４を押圧することができるように配置されている。
【手続補正１３】
【補正対象書類名】明細書
【補正対象項目名】０１５１
【補正方法】変更
【補正の内容】
【０１５１】
さらに、この実施例では、図２０〜図２１に示した第１０の実施例と同様に、係止ピン９８に、バンド押圧手段１０２が設けられており、図２３に示したように、矢印Ｇの方向に、バンド押圧手段１０２を係止ピン９８を中心に回動することによって、バンド押圧手段１０２の先端に形成された係止突起１０４によって、押さえ板３４を、一方のバンド部材２６の表面側に押圧して、一方のバンド部材２６を中留本体２４の底面側に付勢することによって、押さえ板３４と中留本体２４の底面との間で一方のバンド部材２６を挟持して固定するように構成されている。
【手続補正１４】
【補正対象書類名】図面
【補正対象項目名】図７
【補正方法】変更
【補正の内容】
【図７】
2009125552.tif 000001
【手続補正１５】
【補正対象書類名】図面
【補正対象項目名】図２６
【補正方法】変更
【補正の内容】
【図２６】
2009125552.tif 000002
【手続補正１６】
【補正対象書類名】図面
【補正対象項目名】図２７
【補正方法】変更
【補正の内容】
【図２７】
2009125552.tif 000003
【手続補正１７】
【補正対象書類名】図面
【補正対象項目名】図２８
【補正方法】変更
【補正の内容】
【図２８】
2009125552.tif 000004